(57)【要約】【課題】  ジーンズやレザーパンツ等、体に密着させて穿くズボンとのコーディネートにおいて脱着方法が容易かつ、斬新で装着時の安定性にも優れたファッション性の高い吊り下げバッグの供給を目的とする。【解決手段】  本考案における吊り下げバッグは、バッグ本体上部の形状（４）が装着時でもズボンの前ポケットの使用に支障がないような曲線で形成されたバッグ本体（１）の一端に、ベルトに容易に通して固定するためのボタン付きストラップ（２）と、もう一端には臀部に密着した状態のズボンの後ポケットに差し込むだけで固定するために十分な適宜面積と厚みと硬さを有する革材で形成した固定具（３）で構成することにより、脱着の容易さと歩行時のバッグ本体の安定性を増し、従来の吊り下げバッグのイメージにとらわれない、ファッション性の高いバッグの製作に応用できる。【選択図】  図１
0003101688.tif 000002
【実用新案登録請求の範囲】
【請求項１】
特にジーンズやレザーパンツ等、体に密着させて穿くズボンの腰回りに吊り下げて装着するバッグにおいて、脱着方法が容易かつ、斬新で、装着時にズボンの後ポケットに差し込むだけで固定できる、適宜面積と厚みと硬さを持った革材を用いて作られた板状の固定具（３）をバッグ本体（１）の一端に取り付けたことを特徴とする吊り下げバッグ。
【請求項２】
固定具（２）、（３）設置部以下のバッグ本体（１）上部の両端を結ぶ曲線の形状（４）がズボンの前ポケットの縁より下のラインに沿って後ポケット固定具設置部まで、バッグ装着時に装着するズボンの前ポケットの使用に支障がないように伸びた曲線で形成される請求項１に記載のバッグ。
【請求項３】
固定具（２）、（３）設置部分以下のバッグ本体の形状や素材を多角的にし、ジーンズやレザーパンツ以外のズボンにもコーディネートできるデザインのバッグの製作が可能。
【考案の詳細な説明】
【技術分野】
【０００１】本考案は腰回りに吊り下げて使用するバッグに関し、特にジーンズ等、体に密着させて穿くズボンとのコーディネートにおいて脱着方法が容易かつ、斬新でファッション性の高い吊り下げバッグに関するものである。
【背景技術】
【０００２】メディスンバッグに代表されるような吊り下げ式のバッグは、バッグ本体上部両端に設置されたストラップでベルト本体にぶら下げるだけのものが多く、そのデザインも一様で、コーディネートの範囲が狭く、歩行時は揺れたり、装着位置がずれたりするために装着感にも不満があった。
【考案の開示】
【考案が解決しようとする課題】
【０００３】従来の、ベルトに吊り下げるだけのバッグは用いられる素材やデザインの一様さからコーディネートの範囲が狭い。また、その装着方法においても歩行時の揺れが大きく、安定性に乏しく位置がずれたり、装着する箇所によってはズボンのポケットの機能を損ねたりする。従って、新しい装着方法と基本となる形状を基に、多様なコーディネートに対応するバッグの製作を可能にすることで前述の欠点を解決しようとするものである。
【課題を解決するための手段】
【０００４】上記課題を解決するために、本考案における腰下げバッグは、脱着の容易さと歩行時のバッグ本体の安定性を増すため、臀部に密着した状態のズボンの後ろポケットに差し込むだけで固定できるような適宜面積と厚みと硬さを持つ革材を用いた板状の固定具（３）をバッグ本体の一端に設置する。【０００５】バッグ本体上部の形状が、装着時にズボンのポケットの使用にも支障がないように、予め装着するズボンの前ポケットの縁より下のラインに沿って後ポケット固定具設置部まで伸びる理想的な形状（４）で裁断する。この時、形状（４）は装着するズボンのポケットの形状に合わせてポケット使用に支障のないような曲線で形成されていればよく、図１の形状（４）と角度や長さ等が全く同じである必要はない。
【考案の効果】
【０００６】ポケットに差し込む固定方法は脱着が容易かつ、斬新でファッション的にも目新しく、ストラップまたはフックのみでバッグを吊り下げるより、歩行時の安定性がよく、装着した際の一体感もある。また、素材や形を変えて色々なファッションに合わせたバッグの製作が可能になる。
【考案を実施するための最良の形態】
【０００７】（イ）装着時にもポケットの使用に支障とならないようなバッグ本体上部の形状（４）を有するバッグ本体（１）を作る。この時、バッグ本体（１）上部の形状（４）は装着するズボンのポケットの形状に合わせて変更すればよく、素材を革や布等、コーディネートに適したものを用いたり、図５に示すバッグ本体（１ａ）のようにマチをつけてジッパー（８）を設置したりしてデザインを変えてもよい。また、バッグ本体の大きさはズボンのサイズの幅に合わせて、Ｓ、Ｍ、Ｌのように３種類くらいあるとよい。
（ロ）上述のバッグ本体にズボン前側ベルトに通して固定するためのボタン付きストラップ（２）を接続リング（５）でバッグ本体（１）に接続するか、バッグ本体（１）に直接縫合してもよい。なお、図５に示すように、ボタン式ストラップ（２）の代わりに、ベルトループに引っ掛けて固定するようなフック（７）を設置してもよい。
（ハ）バッグ本体のもう一端に、適宜面積と厚みと硬さを持つ革材を用いて作った、後ポケットに差し込んで固定する固定具（３）を設置する。この時、固定具（３）に使用する革材の厚みは５ミリ前後のある程度の硬さがあるものを用い、ポケットの大きさになるべく近いほうが装着時の安定がよく、バッグにある程度重量のある荷物を入れてもポケットからずり落ちない。また、固定具（３）をバッグ本体（１）に設置するとき、接続リング（５）よりサイズが大きい横長のリング（図示せず）を用いて接合してもよいが、バッグ本体に直接縫合したほうが、装着時の安定がよい。
【実施例】
【０００８】以下、添付図面に従って一実施例を説明する。本案を装着する時は図２に示すように固定具（２）をズボン前側のベルト（６）に通してボタンで止め、図４に示すように固定具（３）をズボンの後ポケットに差し込むだけでよい。
【図面の簡単な説明】
【０００９】
【図１】本考案のＡ及びＢ吊り下げバッグを示す正面図である。
【図２】本考案のＡ吊り下げバッグを装着した実施例の正面図である。
【図３】本考案のＡ吊り下げバッグを装着した実施例の前側面図である。
【図４】本考案のＡ吊り下げバッグを装着した実施例の、一部、固定具（３）をポケットに差し込んで固定した状態を示す後側面図である。
【図５】本考案を応用した製作例のＢ吊り下げバッグを示す正面図である。
【符号の説明】
Ａ吊り下げバッグ
Ｂ吊り下げバッグ
１バッグ本体
１ａ本考案を応用して形状・機能性を変えて製作したバッグ本体
２ボタン式ストラップ
３革製の板状固定具
４ズボンの前ポケットの使用の邪魔にならない曲線を有するバッグ本体上部の形状
５接続リング
６ベルト
７フック
８ジッパー
【図１】
0003101688.tif 000003
【図２】
0003101688.tif 000004
【図３】
0003101688.tif 000005
【図４】
0003101688.tif 000006
【図５】
0003101688.tif 000007
【手続補正書】
【提出日】平成15年10月1日(2003.10.1)
【手続補正１】
【補正対象書類名】実用新案登録請求の範囲
【補正対象項目名】請求項３
【補正方法】削除
【補正の内容】
【手続補正書】
【提出日】平成15年12月11日(2003.12.11)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
特にジーンズやレザーパンツ等、体に密着させて穿くズボンの腰回りに吊り下げて装着するバッグにおいて、脱着方法が容易かつ、斬新で、装着時にズボンの後ポケットに差し込むだけで固定できる、適宜面積と厚みと硬さを持った革材を用いて作られた板状の固定具（３）をバッグ本体（１）の一端に取り付けたことを特徴とする吊り下げバッグ。
【請求項２】
固定具（２）、（３）設置部以下のバッグ本体（１）上部の両端を結ぶ曲線の形状（４）がズボンの前ポケットの縁より下のラインに沿って後ポケット固定具設置部まで、バッグ装着時に装着するズボンの前ポケットの使用に支障がないように伸びた曲線で形成される請求項１に記載のバッグ。